(57)【要約】【課題】構成形態を容易且つ迅速に変えて変化を楽しめるようにすると共に、室内の空気浄化が図れるようにする。【解決手段】一定の高さで平坦に切断して前面に絵画を付した円筒状若しくは円柱状の炭材１の上面に複数の嵌込み溝２，２，・・・を設けて、表面に絵画を付したプレート状の炭材３を前記嵌込み溝２，２，・・・に着脱自在に嵌込んで構成し、プレート状の炭材３を嵌込み換えて構成形態を変えるようにした炭材の室内装飾置物。【選択図】　　　　　図１
0003098606.tif 000002
【実用新案登録請求の範囲】
【請求項１】
底面と上面が平坦に切断されて前面に絵画を付した円筒状若しくは円柱状の炭材の上面に複数の嵌込み溝を設けて、表面に絵画を付したプレート状の炭材を嵌込み溝に着脱自在に嵌込んで構成されてなることを特徴とする炭材の室内装飾置物。
【請求項２】
円筒状若しくは円柱状の炭材の上面が斜めに切断されて、複数の嵌込み溝が水平に設けられてなることを特徴とする請求項１記載の炭材の室内装飾置物。
【請求項３】
炭材が円筒状の竹炭と、円筒状の竹炭を縦に分割したプレート状の竹炭であることを特徴とする請求項１又は請求項２記載の炭材の室内装飾置物。
【考案の詳細な説明】
【０００１】
【考案の属する技術分野】
本考案は、構成形態を変えて室内に置くことにより、変化を楽しむと共に室内の空気浄化が図れるようにした炭材の室内装飾置物に関するものである。
【０００２】
【従来の技術】
近年、新築される建物の室内は、新建材等の内装材により気密化されて、新建材等に含まれるホルムアルデヒド等の臭気や、高湿度に伴うカビの発生で健康上或いは住環境上に悪影響を及ぼしている。そして、その臭気やカビの発生を除去すべく炭材を用いた手法が種々の実施態様でなされている。
【０００３】
例えば、特許公開２００１−２７７７９７号公報には、木又は竹を炭材として得られた炭を利用して、建材から発生するホルムアルデヒド等の吸着や脱湿など屋内を健康的環境にする空気浄化機能を有し、且つ装飾効果もある装飾品として、少なくとも小口を外気中に露出させて炭支持体に支持させ、炭支持体と炭の両者で動物、人、植物などを模した形状のものも、適宜の長さに切断した竹を縦割りにして小口を弧状とした炭材より得られた竹炭を、小口を外気中に露出させた状態とし、少なくとも一面に文字又は絵を付したもの、及び竹を少なくとも１個の節部を含めて適宜の長さに切断して筒状体とした炭材より得られた竹炭の内部に水貯溜用の中筒容器を収納して花瓶にしたものが開示されている。
【０００４】
【考案が解決しようとする課題】
しかしながら、上記炭支持体と炭の両者で、動物や人、植物等に模した形状に加工するには相当の手間がかかり、高価なものになることや、竹を縦割りして得られる竹炭の一面に文字又は絵を付すだけでは単調であり、変化を楽しむことができないこと、及び筒状体の竹炭の内部に水筒容器等を収納して花を飾るには日々の管理が面倒であるなどの問題点を有する。
そこで、本考案は、上記問題点を解消し得る炭材の室内装飾置物を提供することを課題とするものである。
【０００５】
上記課題を達成するために、本考案は以下に記載する手段を講じてなる炭材の室内装飾置物とするものである。
すなわち、
（１）底面と上面が平坦に切断されて前面に絵画を付した円筒状若しくは円柱状の炭材の上面に複数の嵌込み溝を設けて、表面に絵画を付したプレート状の炭材を嵌込み溝に着脱自在に嵌込んで構成されてなることを特徴とする炭材の室内装飾置物。
（２）円筒状若しくは円柱状の炭材の上面が斜めに切断されて、複数の嵌込み溝が水平に設けられてなることを特徴とする前項（１）記載の炭材の室内装飾置物。
（３）炭材が円筒状の竹炭と、円筒状の竹炭を縦に分割したプレート状の竹炭であることを特徴とする前項（１）又は（２）記載の炭材の室内装飾置物とするものである。
【０００６】
そして、上記手段により種々の形の組立て構成が可能となり、変化を楽しむことが可能になると共に、加工や組立て構成が容易且つシンプルで手間がかからず安価に提供することが可能となる。
【０００７】
【考案の実施の形態】
本考案の実施の形態を、実施例を示す図面に基づいて説明すると、図１は丸竹材を炭化して一定の高さで平坦に切断した円筒状の炭材１の上面１ａに、複数の嵌込み溝２，２，・・・を設けて、該嵌込み溝に丸竹材を炭化して一定の長さで切断し、縦割りにしたプレート状の炭材３を嵌込んで構成されている。
【０００８】
円筒状の炭材１の上面１ａに設けられた嵌込み溝２は複数にして設けられており、該嵌込み溝に嵌込んで構成するプレート状の炭材３は図１では１個であるが、前後の嵌込み溝２，２に嵌込んで構成すればプレート状の炭材３は２個となり、構成の形状が変化すると共に炭材の機能性は高まり、室内の空気浄化が促進される。
【０００９】
円筒状の炭材１の上面１ａは平坦でなくても良く、図２に示すように斜めに切断して複数の嵌込み溝２，・・・を設け、該嵌込み溝にプレート状の炭材３，３を嵌込んで構成すれば、前後プレート状の炭材３，３が正面から直視されると共に、前後のプレート状の炭材３，３を嵌込み換えることによりその形状の変化を楽しむことができる。
【００１０】
又、図３に示すように円筒状の炭材１，１を左右に置き、該炭材１，１の嵌込み溝２，２，・・・に長いプレート状の炭材３を架け渡すように嵌込んで構成すれば、構成の形状が変化すると共に炭材の機能性は更に高まり、室内の空気浄化が促進される。
【００１１】
竹材１，３は、丸竹材を１０００〜１２００度の炭化温度で、おおむね７２時間焼成したものである。このような条件で焼成することにより炭化組織が安定して強度が増し、脱臭、調湿機能の優れた炭材が得られる。
【００１２】
図４は、上記の条件で焼成されて得られる炭材１の斜視図であり、上面１ａと底面１ｂが一定の高さで平坦に切断されて円筒状になっており、上面に複数の嵌込み溝２，２，・・・が設けてあり、炭材の機能性を生かしつつ装飾性をもたせるため、前面にはアクリル絵の具等で花などの様々な絵画４が付されて床面や棚に置けるようにしてある。絵画４の劣化や汚れを防止すべく絵画の表面にはニスが塗られて仕上げられている。
【００１３】
複数の嵌込み溝２，２，・・・を設ける炭材１の上面１ａは、図５に示すように斜めに切断して、該斜めに切断した上面に複数の嵌込み溝２，２，・・・を設けても良い。嵌込み溝２，２，・・・はプレート状の炭材３（図２）が嵌め込まれた時に水平になるように設ける。
【００１４】
図６は、上記の条件で焼成されて得られる炭材３の斜視図である。一定の長さに切断された円筒状の炭材を縦割りにしてプレート状にしてあり、炭材の機能性を生かしつつ装飾性をもたせるため、表面にはアクリル絵の具等で花などの様々な絵画５が付され、前記炭材１の嵌込み溝２，２，・・・に着脱自在に嵌込んで装着できるようにしてある。絵画５の劣化や汚れを防止すべく絵画の表面にはニスが塗られて仕上げられている。
【００１５】
なお、本考案においては、竹材を焼成した炭材による実施例をもとに説明したが、これに限定するものではなく、丸木材を焼成して一定の高さで平坦に切断した円柱状の炭材や板木材を焼成してプレート状の炭材にしても良い。或いは竹材を焼成した炭材と板木材を焼成したプレート状の炭材を組み合わせて構成しても良い。
【００１６】
【考案の効果】
以上記述した如く、本考案は前面に絵画を付した円筒状若しくは円柱状の炭材の上面に複数の嵌込み溝を設けて、該嵌込み溝に表面に絵画を付したプレート状の炭材を着脱自在に嵌込んで構成し、室内に置くようにしたものであり、プレート状の炭材を嵌込み換えたりすることにより種々の形の組立て構成が容易且つ迅速に出来てその変化を楽しむことができると共に、炭材の機能性により室内の空気浄化が図られる。
【００１７】
又、炭材は丸竹材や丸木材を焼成した炭材を単に切断したり、嵌込み溝を加工したりするのみで手間がかからず容易且つ迅速に製作できて、安価に提供することができる。
【図面の簡単な説明】
【図１】本考案の一実施例を示す斜視図である。
【図２】構成形態を変えた一実施例を示す斜視図である。
【図３】構成形態を変えた一実施例を示す斜視図である。
【図４】上面を平坦に切断して嵌込み溝を設けた炭材の斜視図である。
【図５】上面を斜めに切断して嵌込み溝を設けた炭材の斜視図である。
【図６】嵌込み溝に嵌込むプレート状の炭材の斜視図である。
【符号の説明】
１，３　炭材
１ａ　　上面
１ｂ　　底面
２　　　嵌込み溝
４，５　絵画
【図１】
0003098606.tif 000003
【図２】
0003098606.tif 000004
【図３】
0003098606.tif 000005
【図４】
0003098606.tif 000006
【図５】
0003098606.tif 000007
【図６】
0003098606.tif 000008